(57)【要約】【課題】建築物の確認申請図を作図する工程と外装及び内部仕上げの詳細設計を行う工程とを並列に実行する方法を提供し，設計時間の短縮を可能にする。【解決手段】スケッチプラン作成工程１において建築物の躯体等を３次元ＣＡＤシステム７を用い，建物内部の間仕切等を２次元ＣＡＤシステム６を用いて作図してスケッチプランデータを生成し，スケッチプランデータに基づいて確認申請図作成工程２において確認申請図を作成し，外装詳細設計工程３において３次元ＣＡＤシステム７を用いて外装の詳細設計を行い，並行して内部仕上げ詳細設計工程４において３次元ＣＡＤシステム７を用いて建築物の内部仕上げの詳細設計を行い，詳細図作成工程５において外装の詳細設計と内部仕上げの詳細設計の図面データとに基づいて詳細図を作成する。【選択図】    図１
2004206192.tif 000002
【特許請求の範囲】
【請求項１】
コンピュータを用いて建築設計の工程を並列に実行する方法であって，
建築物の躯体と，躯体に取り付く建具を３次元ＣＡＤシステムを用いて作図し，内部仕上げを２次元ＣＡＤシステムを用いて作図し，３次元ＣＡＤシステムを用いて作図した図面データに２次元ＣＡＤシステムを用いて作図した図面データを貼り付けることによりスケッチプランを作成する工程と，
前記スケッチプランの図面データに基づいて，２次元ＣＡＤシステムを用いて作図した図面データを貼り付けた３次元ＣＡＤシステムの図面データを用いて確認申請図を作成する工程と，
前記スケッチプランを作成する工程で作図した図面データを利用し，３次元ＣＡＤシステムを用いて外装の詳細設計を行う工程と，
前記建築物の内部仕上げを３次元ＣＡＤシステムを用いて作図することにより内部仕上げの詳細設計を行う工程と，
前記仕上げ情報を含んだ外装の詳細設計の図面データと前記内部仕上げの詳細設計の図面データとに基づいて詳細図を作成する工程とを有し，
前記確認申請図を作成する工程と前記外装および内部仕上げの詳細設計を行う工程とを並列に実行する
ことを特徴とする建築設計工程並列実行方法。
【発明の詳細な説明】
【０００１】
【発明の属する技術分野】
本発明は，ＣＡＤシステムに関し，特に，建築設計において，確認申請を行うための図面を作成する工程と建築物の外装および内部仕上げの詳細設計を行う工程とを並列に実行する建築設計工程並列実行方法に関する。
【０００２】
【従来の技術】
従来の建築設計フローは，図１２に示すように，企画設計，基本設計を経て，実施設計（１）において建物が建築基準法に照らし合わせて合法であるか判断するための図面である確認申請図を作成した後，施工者側に渡す詳細情報を付加した図面を作成する工程である実施設計（２）を行っていた。そして，施工者側は実施設計（２）後の図面を受け取り，実際に施工するための施工図を作成していた。
【０００３】
また，上記従来の建築設計フローにおいて，以前は図１２の点線で囲まれた企画設計から実施設計（２）までの工程において，２次元ＣＡＤを用いて設計図を描き，その後，施工段階で詳細な設計図を２次元の図面を基に別途作成していたが，３次元ＣＡＤの普及に従い，３次元ＣＡＤが持つパラメトリックな機能を利用して最初から作図すれば逐次情報を加えることができるので，川上における設計図を基に施工者側でさらに詳細なデータに加工することができる。
【０００４】
このように，設計の最初から全て３次元ＣＡＤを用いて作図すれば，施工図の段階で新たに作図する必要がなくなり，また，川上のデータが有効利用できるので，全体としての省力化が図れ，かつ設計図としての整合性も確保できるという利点がある。なお上記従来の建築設計技術について記載した文献は特に見当たらない。
【０００５】
【発明が解決しようとする課題】
しかし，上記従来の建築設計フローにおいて，最初から全て３次元ＣＡＤを用いて作図すると，３次元ＣＡＤは２次元ＣＡＤに比較して入力項目が多いため，２次元ＣＡＤを用いた作図と比べて作図に多大な労力と時間がかかる。従って，決められた設計スケジュールに対応するのが難しいのでなかなか作図作業の実務に使用されないできた。すなわち，３次元ＣＡＤを用いて最初から全て作図を始めると，時間がかかるため，確認申請図の作成工程が遅れるという問題点があった。確認申請が遅れると，着工の時期も遅れるため，竣工時も遅れ，竣工時が決まっている場合は，工期を短縮せざるを得ず，施工上様々な問題を生じることになる。
【０００６】
本発明は，上記従来技術の問題点を解決し，実施設計（１）における確認申請図を作図する工程と実施設計（２）における建築物の外装および内部仕上げの詳細設計を行う工程とを並列に実行し，工期の短縮を可能とする建築設計工程並列実行方法を提供することを目的とする。
【０００７】
【課題を解決するための手段】
上記課題を解決するため，本発明は，実施設計（１）における最初の作図工程であるスケッチプラン作成工程において，建築物の躯体と躯体に取り付く建具を３次元ＣＡＤで作成し，内部仕上げを２次元で作成する。これにより，その後の確認申請図を作図する工程と実施設計（２）における外装の詳細設計を行う工程とで建築物の外装の３次元データを共通データとして持つ。なお，ここでいう内部仕上げは，建物内部の間仕切，建具，キッチン，設備什器等を含むものである。
【０００８】
図３は，本発明の建築設計フローの概略を示す図である。図３に示すように，本発明では，企画設計，基本設計の後，図３の点線で囲まれた実施設計（１）〜施工図設計において３次元ＣＡＤシステムを用いて作図する。ここで，実施設計（１）においては，３次元ＣＡＤシステムと２次元ＣＡＤシステムとを組み合わせて建築物のラフスケッチ等を行ってスケッチプランを作成した後，確認申請図を作成する。実施設計（１）においては，躯体と躯体に取り付く建具のみ３次元で作成され，内部間仕切等の内部仕上げは２次元表現である。
【０００９】
そして，実施設計（１）と並行して３次元ＣＡＤシステムを用いて実施設計（２）を行う。実施設計（２）では，建築物の外装の詳細設計を行うとともに，スケッチプランのデータを用い，建築物の内部仕上げを３次元で作図する（内部仕上げの詳細設計）。そして，実施設計（２）において作成された図面データに基づいて，施工図を作成する。
【００１０】
本発明は，実施設計（１）における確認申請図を作成する工程と実施設計（２）における外装の詳細設計を行う工程とを外装の３次元データを共通に持つことにより並行して実行することができ，また，スケッチプランの内部仕上げデータをもとに３次元化することで内部仕上げの詳細設計も並行して実行することができる。従って，図１２に示す従来の設計フローに比べて作図時間を短縮することが可能となる。
【００１１】
すなわち，本発明は，コンピュータを用いて建築設計の工程を並列に実行する方法であって，建築物の躯体と，躯体に取り付く建具を３次元ＣＡＤシステムを用いて作図し，内部仕上げを２次元ＣＡＤシステムを用いて作図し，３次元ＣＡＤシステムを用いて作図した図面データに２次元ＣＡＤシステムを用いて作図した図面データを貼り付けることによりスケッチプランを作成する工程と，前記スケッチプランの図面データに基づいて，２次元ＣＡＤシステムを用いて作図した図面データを貼り付けた３次元ＣＡＤシステムの図面データを用いて確認申請図を作成する工程と，前記スケッチプランを作成する工程で作図した図面データを利用し，３次元ＣＡＤシステムを用いて外装の詳細設計を行う工程と，前記建築物の内部仕上げを３次元ＣＡＤシステムを用いて作図することにより内部仕上げの詳細設計を行う工程と，前記仕上げ情報を含んだ外装の詳細設計の図面データと前記内部仕上げの詳細設計の図面データとに基づいて詳細図を作成する工程とを有し，前記確認申請図を作成する工程と前記外装および内部仕上げの詳細設計を行う工程とを並列に実行することを特徴とする。
【００１２】
本発明を用いることにより，確認申請図を作図する工程と外装および内部仕上げの詳細設計を行う工程とを並列に実行することができるため，建築設計上の工期を短縮することが可能となる。
【００１３】
【発明の実施の形態】
以下に，本発明の実施の形態について図面を用いて説明する。図１は，本発明に係る建築設計工程並列実行方法を示す図である。１は建築物の躯体および躯体に取り付く建具を３次元ＣＡＤシステムを用いて作図し，建築物の内部仕上げを２次元ＣＡＤシステムを用いて作図することによりスケッチプランを作成するスケッチプラン作成工程，２はスケッチプランの図面データに基づいて３次元ＣＡＤシステムを用いて確認申請図を作成する確認申請図作成工程である。
【００１４】
また，３はスケッチプランの図面データに基づいて３次元ＣＡＤシステムを用いて外装の詳細設計を行う外装詳細設計工程，４はスケッチプランの図面データに基づいて，建築物の内部仕上げを３次元ＣＡＤを用いて作図することにより内部仕上げの詳細設計を行う内部仕上げ詳細設計工程，５は仕上げ情報を含んだ外装の詳細設計の図面データと内部仕上げの詳細設計の図面データとに基づいて詳細図を作成する詳細図作成工程，６は２次元ＣＡＤシステム，７は３次元ＣＡＤシステムである。
【００１５】
図２は，本発明の建築設計工程並列実行方法を実行するシステムのハードウェア構成の一例を示す図である。図２において，１１はシステム全体を制御するＣＰＵ，１２はキーボード，１３はマウス，１４はハードディスクからロードされた３次元ＣＡＤソフトウェアまたは２次元ＣＡＤソフトウェアなどのプログラムやデータが格納されるメモリ，１５は作成したＣＡＤ図面を表示するディスプレイ，１６はプリンタ，１７は３次元ＣＡＤソフトウェアおよび２次元ＣＡＤソフトウェアが格納されているハードディスクである。
【００１６】
以下に，図４乃至図１１に基づいて，本発明の建築設計工程並列実行方法を説明する。図４は本発明に係るスケッチプラン作成処理および確認申請図作成処理フローの一例を示す図である。まず，各住戸の躯体および躯体に取り付く建具を３次元ＣＡＤシステム７を用いて作図し，内部仕上げを２次元ＣＡＤシステム６を用いて作図することによりスケッチプランデータを生成する（ステップＳ１）。
【００１７】
例えば，図６（Ａ）に示す実施設計（１）におけるスケッチプラン作成工程１において，Ｄタイプ，ＥタイプおよびＦタイプの住戸プランを決定する場合，まず，太線で示す各住戸の躯体および躯体に係る建具から構成される壁を３次元ＣＡＤシステム７で作図する。これにより，各建築設計工程におけるデータの流れを示す図７に示すように，外装３次元ＣＡＤデータが入力される。
【００１８】
そして，各住戸の内部間仕切等の内部仕上げを２次元ＣＡＤシステム６で作図することにより，図７に示す内部仕上げ２次元ＣＡＤデータが入力され，入力された内部仕上げ２次元ＣＡＤデータを３次元ＣＡＤシステム７に取り込み，３次元ＣＡＤデータに貼り付けることにより，スケッチプランデータを生成する。
【００１９】
次に，生成されたスケッチプランデータに基づいて３次元ＣＡＤシステム７を用いて確認申請図を作成する（ステップＳ２）。
【００２０】
具体的には，図６（Ｂ）に示すように，確認申請図作成工程２において，各住戸のスケッチプランを重ねて各階平面図とし，さらに高さ方向に重ねて建物モデルを完成して確認申請図を作成する。
【００２１】
すなわち，図７に示すように，ステップＳ１で生成されたスケッチプランを加工することにより，確認申請図用データが生成される。図８は各住戸のスケッチプランを重ねて作成した各階平面図を示す図であり，図９は各階平面図を高さ方向に重ねた確認申請図の建物断面を示す図である。
【００２２】
図５は，本発明に係る外装詳細設計から詳細図作成までの処理フローの一例を示す図である。まず，スケッチプラン作成工程１において生成されたスケッチプランデータに基づいて３次元ＣＡＤシステム７を用いて外装の詳細設計を行う（ステップＳ１１）。
【００２３】
具体的には，図６（Ｃ）に示す実施設計（２）の外装詳細設計工程３において，矢印の先の円内に示すように，スケッチプランの外壁を仕上げ情報を含んだ複合構造の外壁に変換する。外装の詳細設計を行うことにより各住戸の外装が確定する。すなわち，図７に示すように，外装詳細設計工程３においては，スケッチプラン作成工程１で入力された外装３次元ＣＡＤデータを加工することにより，外装詳細図データを生成する。
【００２４】
なお，上記外装詳細図データに付随している属性データとしては，例えば，ふかし寸法を加味した外壁の厚さ，外壁の仕上げ寸法，仕上げ材，内部側の断熱材の寸法，窓の仕上げ材を考慮した開口寸法，窓の見込み寸法，ガラス厚，ガラス溝幅，仕上げを考慮した扉の寸法，枠見込み等が挙げられる。
【００２５】
並行して，各住戸のスケッチプランの内部仕上げを３次元ＣＡＤシステム７を用いて作図することにより内部仕上げの詳細設計を行う（ステップＳ１２）。具体的には，図６（Ｄ）に示す内部仕上げ詳細設計工程４において，３次元ＣＡＤシステム７を用いて各住戸のスケッチプランの内部間仕切等の内部仕上げを３次元データに変える。すなわち，図７に示すように，内部仕上げ詳細設計工程４においては，スケッチプラン作成工程１で生成されたスケッチプランデータを加工することにより，３次元の内部仕上げ詳細図データを生成する。
【００２６】
そして，外装の詳細設計の図面データと内部仕上げの詳細設計の図面データとに基づいて詳細図を作成する（ステップＳ１３）。具体的には，図６（Ｅ）に示すように，詳細図作成工程５において各階平面詳細図を作成した後，各階平面詳細図を高さ方向に重ねて建物モデルを完成させる。
【００２７】
すなわち，図７に示すように，詳細図作成工程５においては，外装詳細図データと内部仕上げ詳細図データとに基づいて詳細図データを生成する。図１０はＤタイプ，ＥタイプおよびＦタイプの各住戸を重ねた各階平面詳細図を示す図であり，図１１は，建物の３次元モデルを示す図である。
【００２８】
本発明を用いることにより，確認申請図作成工程２と外装詳細設計工程３とで外装の３次元データを共通に有することができる。従って，本発明を用いることにより，確認申請図作成工程２と外装詳細設計工程３とを並列に実行することができ，また，スケッチプランの内部仕上げデータをもとに３次元化することで内部仕上げ詳細設計工程４も並行して実行することができる。
【００２９】
【発明の効果】
上述したように，従来の建築設計フローでは，図１２に示すように企画設計から施工図作成前の段階において２次元ＣＡＤを用いて作図していたため，３次元データを利用して表現した図面を施工者に引き渡すことができなかった。
【００３０】
一方，従来の建築設計フローを全て３次元ＣＡＤを用いて作図すると，３次元ＣＡＤは２次元ＣＡＤに比べて入力項目が多いため２次元ＣＡＤを用いた作図時間と比べさらに多くの時間を要する。
【００３１】
本発明は，３次元ＣＡＤの欠点である作図に時間がかかる点を新しい設計フローを導入することで解決し，３次元ＣＡＤデータと２次元ＣＡＤデータとを組み合わせることにより，付加価値の高い図面をより効率的にかつ従来の設計時間より短い時間で作成することが可能となる。
【００３２】
すなわち，本発明を用いることにより，確認申請図を作成する工程と建築物の外装および内部仕上げの詳細設計を行う工程とを並列に実行することができるため，建築設計上の工期を短縮することが可能となる。
【図面の簡単な説明】
【図１】建築設計工程並列実行方法を示す図である。
【図２】３次元ＣＡＤシステムおよび２次元ＣＡＤシステムのハードウェア構成を示す図である。
【図３】本発明の建築設計フローの概略を示す図である。
【図４】スケッチプラン作成処理および確認申請図作成処理フローの一例を示す図である。
【図５】外装詳細設計から詳細図作成までの処理フローの一例を示す図である。
【図６】本発明の建築設計フローを示す図である。
【図７】各建築設計工程におけるデータの流れを示す図である。
【図８】各階平面図を示す図である。
【図９】確認申請図の建物断面を示す図である。
【図１０】各階平面詳細図を示す図である。
【図１１】建物の３次元モデルを示す図である。
【図１２】従来の建築設計フローを示す図である。
【符号の説明】
１  スケッチプラン作成工程
２  確認申請図作成工程
３  外装詳細設計工程
４  内部仕上げ詳細設計工程
５  詳細図作成工程
６  ２次元ＣＡＤシステム
７  ３次元ＣＡＤシステム
１１  ＣＰＵ
１２  キーボード
１３  マウス
１４  メモリ
１５  ディスプレイ
１６  プリンタ
１７  ハードディスク
【図１】
2004206192.tif 000003
【図２】
2004206192.tif 000004
【図３】
2004206192.tif 000005
【図４】
2004206192.tif 000006
【図５】
2004206192.tif 000007
【図６】
2004206192.tif 000008
【図７】
2004206192.tif 000009
【図８】
2004206192.tif 000010
【図９】
2004206192.tif 000011
【図１０】
2004206192.tif 000012
【図１１】
2004206192.tif 000013
【図１２】
2004206192.tif 000014